(57)【要約】【課題】簡単な構成により多様なゲームの演出表現を実現できるようにする。【解決手段】ステッピングモータの駆動が停止されて各リール４７Ｌ，４７Ｍ，４７Ｒの回転が停止した後、そのときのゲームの状況に応じて、サブＣＰＵの制御信号によりモータ６７或いはモータ７９Ｌ，７９Ｍ，７９Ｒが制御され、例えばリーチ目であることを報知するための演出として、枠体４９全体が前後方向に移動されたり、或いは、各リール４７Ｌ，４７Ｍ，４７Ｒが個別に前後方向に移動されたり、枠体４９全体が前後方向に移動されつつ、各リール４７Ｌ，４７Ｍ，４７Ｒが個別に前後方向に移動される。【選択図】        図３
2004215843.tif 000002
【特許請求の範囲】
【請求項１】
それぞれ周面に複数の図柄が描かれ、スロットマシンの筐体内に回転可能に設けられた複数個のリールを支持するスロットマシンのリール支持装置において、
前記各リールそれぞれを回転自在かつ移動自在に支持する複数個のリール支持手段と、
前記筐体に取り付けられ前記各リール支持手段をユニットとして保持するユニット保持手段と、
前記各リールそれぞれを前記筐体に対して少なくとも前後方向に移動させるリール移動手段と
を備えていることを特徴とするスロットマシンのリール支持装置。
【請求項２】
前記ユニット保持手段を前記筐体に移動自在に取り付けるための取付手段と、
前記ユニット保持手段を前記筐体に対して少なくとも前後方向に移動させるユニット移動手段と
を更に備えていることを特徴とする請求項１に記載のスロットマシンのリール支持装置。
【請求項３】
前記リール移動手段が、前記ユニット保持手段に対して前記各リール支持手段を個別に移動させて前記各リールそれぞれを移動させるものであることを特徴とする請求項１または２に記載のスロットマシンのリール支持装置。
【請求項４】
前記リール移動手段が、前記各リール支持手段を一体的に移動させる機能も備え、前記各リールの個別移動と前記各リール支持手段の一体的移動とを選択可能に構成されていることを特徴とする請求項３に記載のスロットマシンのリール支持装置。
【請求項５】
前記リール移動手段が、前記各リールそれぞれを前記筐体に対して前後方向のほか左右方向及び上下方向に、予め定められたリール移動範囲内で択一的に移動させるものであることを特徴とする請求項１ないし４のいずれかに記載のスロットマシンのリール支持装置。
【請求項６】
前記リール移動手段が、外部からの制御信号により駆動されるモータを備えていることを特徴とする請求項１ないし５のいずれかに記載のスロットマシンのリール支持装置。
【請求項７】
前記ユニット移動手段が、前記ユニット保持手段を前記筐体に対して前後方向のほか左右方向及び上下方向に、予め定められたユニット移動範囲内で択一的に移動させるものであることを特徴とする請求項２に記載のスロットマシンのリール支持装置。
【請求項８】
前記ユニット移動手段が、外部からの制御信号により駆動されるモータを備えていることを特徴とする請求項２または７に記載のスロットマシンのリール支持装置。
【発明の詳細な説明】
【０００１】
【発明の属する技術分野】
この発明は、それぞれ周面に複数の図柄が描かれ、スロットマシンの筐体内に回転可能に設けられた複数個のリールを支持するスロットマシンのリール支持装置に関する。
【０００２】
【従来の技術】
一般に、スロットマシンでは、前面が開口した箱状の筐体に、その前面全体を覆う大きさの前面パネルの一側がヒンジにより回転自在に支持され、この前面パネル正面上半部には透明板により塞がれた窓が形成され、それぞれ周面に複数の図柄が描かれた左、中、右の３個の円筒状のリール（回胴）が支持手段により窓の後側に回転自在に支持され、各リールそれぞれの図柄のうち３個の図柄が窓越しに見えるように配設されている。
【０００３】
これら各リールはその中心がナット等によりステッピングモータの回転軸にそれぞれ連結され、ステッピングモータの回転によりリールが回転駆動される。そして、ステッピングモータは、中央制御装置によって、前面パネルに設けられたスタートレバーの操作により回転を開始し、前面パネルの窓付近に、各リールに対応して設けられたストップスイッチのオンにより停止するように制御される。尚、有効ラインとされる入賞ラインに停止した各リールの図柄の組み合わせによりゲームが進行する。このとき、これら各リールは支持機構により回転可能ではあるが前後左右や上下には移動できないように支持されるのが一般的である。
【０００４】
ところが、各リールが単に回転して窓内に図柄が表示されるだけであるため、遊技者に対してゲームの演出表現に欠けるという印象を与えることから、従来、各リールを左右方向に往復移動させるように構成し、多様な図柄表示を行えるようにすることが考えられている（特許文献１参照）。
【０００５】
【特許文献１】
特開平１０−３１４３７１号公報（段落［００３８］〜［００４２］）
【０００６】
【発明が解決しようとする課題】
しかし、上記した従来のリール移動装置は、各リールをその整列方向である左右方向に往復移動させてこれまでにない多様なシンボル表示を実現しようとするものであるため、各リールの移動量を大きくする必要があり、その結果、駆動装置が非常に大がかりになって筐体内部に駆動装置の大きな設置スペースを確保しなければならず、その他の部品や部材のスペースが逆に制限されてしまうおそれがあるという問題点があった。
【０００７】
そこで、本発明は、簡単な構成により多様なゲームの演出表現を実現できるようにすることを目的とする。
【０００８】
【課題を解決するための手段】
上記した目的を達成するために、本発明は、それぞれ周面に複数の図柄が描かれ、スロットマシンの筐体内に回転可能に設けられた複数個のリールを支持するスロットマシンのリール支持装置において、前記各リールそれぞれを回転自在かつ移動自在に支持する複数個のリール支持手段と、前記筐体に取り付けられ前記各リール支持手段をユニットとして保持するユニット保持手段と、前記各リールそれぞれを前記筐体に対して少なくとも前後方向に移動させるリール移動手段とを備えていることを特徴としている（請求項１）。
【０００９】
このような構成によれば、リール移動手段により、各リールが筐体に対して少なくとも前後方向に移動されるため、簡単な構成により多様なゲームの演出表現を実現することができる。
【００１０】
また、本発明は、前記ユニット保持手段を前記筐体に移動自在に取り付けるための取付手段と、前記ユニット保持手段を前記筐体に対して少なくとも前後方向に移動させるユニット移動手段とを更に備えていることを特徴としている（請求項２）。
【００１１】
このような構成によれば、ユニット移動手段により、ユニット保持手段が筐体に対して少なくとも前後方向に移動され、各リール支持手段がユニットとして前後方向に移動されるため、各リールを一体的に前後方向に移動させることができる。
【００１２】
また、本発明は、前記リール移動手段が、前記ユニット保持手段に対して前記各リール支持手段を個別に移動させて前記各リールそれぞれを移動させるものであることを特徴としている（請求項３）。
【００１３】
このような構成によれば、リール移動手段により、各リール支持手段が個別に移動されるため、各リールの個別移動により多様なゲームの演出表現を実現することができる。
【００１４】
また、本発明は、前記リール移動手段が、前記各リール支持手段を一体的に移動させる機能も備え、前記各リールの個別移動と前記各リール支持手段の一体的な移動とを選択可能に構成されていることを特徴としている（請求項４）。
【００１５】
このような構成によれば、リール移動手段により、各リール支持手段が個別或いは一体的に移動されるため、各リールの個別或いは一体的な移動により、いっそう多様なゲームの演出表現を実現することができる。
【００１６】
また、本発明は、前記リール移動手段が、前記各リールそれぞれを前記筐体に対して前後方向のほか左右方向及び上下方向に、予め定められたリール移動範囲内で択一的に移動させるものであることを特徴としている（請求項５）。
【００１７】
このような構成によれば、リール移動手段により、各リールが前後方向のみならず、左右方向及び上下方向にも移動されるため、各リールの前後、左右、上下への移動によって、よりいっそう多様なゲームの演出表現を実現することができる。
【００１８】
また、本発明は、前記リール移動手段が、外部からの制御信号により駆動されるモータを備えていることを特徴としている（請求項６）。このような構成によれば、制御信号により駆動されるモータによって、例えばラック，ピニオンの組み合わせを介して各リールを移動させることができるため、リール移動手段を簡単に構成することができる。
【００１９】
また、本発明は、前記ユニット移動手段が、前記ユニット保持手段を前記筐体に対して前後方向のほか左右方向及び上下方向に、予め定められたユニット移動範囲内で択一的に移動させるものであることを特徴としている（請求項７）。
【００２０】
このような構成によれば、各リールがユニット移動手段により、所定のユニット移動範囲内で前後方向、左右方向、上下方向のうちいずれかに択一的にユニットとして一体的に移動されるため、よりいっそう多様なゲームの演出表現を実現することができる。
【００２１】
また、本発明は、前記ユニット移動手段が、外部からの制御信号により駆動されるモータを備えていることを特徴としている（請求項８）。このような構成によれば、制御信号により駆動されるモータによって、例えばラック，ピニオンの組み合わせを介して各リールをユニットとして移動させることができるため、ユニット移動手段を簡単に構成することができる。
【００２２】
【発明の実施の形態】
この発明を一実施形態について図１ないし図４を参照して説明する。但し、図１はスロットマシンの正面図、図２ないし図４はそれぞれリール支持装置の正面図、平面図及び右側面図である。
【００２３】
本実施形態におけるスロットマシンは、例えば図１に示すように構成されている。即ち、図１に示すように、スロットマシン１では、筐体３の前面開口が前面パネル５により開閉自在に閉塞され、この前面パネル５のほぼ中央高さの位置に操作板７が配設されると共に、この操作板７の上方に正面板９が配設されている。このとき、前面パネル５の左端部がヒンジにより筐体３に回転自在に支持されて、筐体３の前面全体が前面パネル５により覆われて閉塞される。
【００２４】
そして、図１に示すように、この正面板９には３個のリール窓１１が並設され、各リール窓１１の内側には左、中、右の各リールが回転可能に配置され、右端のリール窓１１の横には、ゲームの演出用画面を表示する液晶ディスプレイ１３が配設されており、各リール窓１１からは、各リールの図柄が各々３個ずつ見えるように設定されている。
【００２５】
更に、図１に示すように、操作板７には、クレジットされているメダルの枚数を減じてメダル投入に代えるためのベットスイッチ１５、各リールの回転を開始させるためのスタートレバー１７、第１ないし第３ストップスイッチ１９，２１，２３、及び、メダル投入口２５や貯留メダルを払い出すための精算スイッチ２７が設けられている。
【００２６】
また、図１に示すように、正面板９には入賞ラインが描かれると共に、入賞ライン中の有効ラインを表示する有効表示ランプ３１、ボーナスゲームの状態などを表示する種々の演出表示ランプ３３、クレジットメダルの枚数を表示するメダル枚数表示器３５が正面板９に配設され、操作板７の下方にはメダル払出口３７や、この払出口３７から払い出されるメダルを受けるメダル受け３９が設けられると共に、このメダル受け３９の左方に隣接して灰皿４１が設けられている。
【００２７】
ところで、前面パネル５のリール窓１１の裏面側にはリール支持装置４３が配設されており、このリール支持装置４３は次のように構成されている。すなわち、図２〜４に示すように、リール支持手段を構成するほぼ平板状の３個のリールスタンド４５Ｌ，４５Ｍ，４５Ｒが並設され、左、中、右の各リール４７Ｌ，４７Ｍ，４７Ｒがリールスタンド４５Ｌ，４５Ｍ，４５Ｒにそれぞれ回転自在に支持されている。尚、各リール４７Ｌ，４７Ｍ，４７Ｒは、放射状に延びる複数の梁と、これらの梁の先端に固着された短い円筒体とにより構成され、樹脂成型により形成される。
【００２８】
そして、各リールスタンド４５Ｌ，４５Ｍ，４５Ｒにはステッピングモータ（図示せず）がそれぞれ支持され、各リール４７Ｌ，４７Ｍ，４７Ｒの中心がナット等によりステッピングモータの回転軸にそれぞれ連結され、各ステッピングモータの回転により各リール４７Ｌ，４７Ｍ，４７Ｒが回転駆動されるようになっている。これら各ステッピングモータは、図示しないメインＣＰＵからの制御信号により回転制御が行われる。
【００２９】
更に、図２〜４に示すように、前面が開口して成るユニット保持手段としての箱状の枠体４９が設けられ、各リール４７Ｌ，４７Ｍ，４７Ｒ及びステッピングモータをそれぞれ支持する平板状のリールスタンド４５Ｌ，４５Ｍ，４５Ｒが枠体４９の内側に配設され、各リールスタンド４５Ｌ，４５Ｍ，４５Ｒがユニットとして枠体４９の内側に保持されている。
【００３０】
このとき、リールスタンド４５Ｌの上下端にはリールスタンド４５Ｌよりも幅広のレール体５１Ｌｕ，５１Ｌｄが一体的に形成され、これと同様に他のリールスタンド４５Ｍ，４５Ｒの上下端にもリールスタンド４５Ｍ，４５Ｒよりも幅広のレール体５１Ｍｕ，５１Ｍｄ及び５１Ｒｕ，５１Ｒｄが一体的に形成されている。
【００３１】
そして、図２〜４に示すように、枠体４９の天壁及び底壁それぞれの内面側の左端部に相対向して一対ずつの断面Ｌ字状の前後方向のガイド５３Ｌｕ１，５３Ｌｕ２及び５３Ｌｄ１，５３Ｌｄ２が、リールスタンド４５Ｌの幅相当の間隔をあけて固着され、これらガイド５３Ｌｕ１，５３Ｌｕ２及び５３Ｌｄ１，５３Ｌｄ２に、リールスタンド４５Ｌのレール体５１Ｌｕ，５１Ｌｄがガイドされるようにしてリールスタンド４５Ｌが枠体４９の内側に立設状態で保持されている。
【００３２】
また、枠体４９の天壁及び底壁それぞれの内面側中央のやや左寄りの位置に相対向して一対ずつ断面Ｌ字状の前後方向のガイド５３Ｍｕ１，５３Ｍｕ２及び５３Ｍｄ１，５３Ｍｄ２が、リールスタンド４５Ｍの幅相当の間隔をあけて固着されると共に、枠体４９の天壁及び底壁それぞれの内面側中央のやや右寄りの位置に相対向して一対ずつ断面Ｌ字状の前後方向のガイド５３Ｒｕ１，５３Ｒｕ２及び５３Ｒｄ１，５３Ｒｄ２が、リールスタンド４５Ｒの幅相当の間隔をあけて固着されている。そして、これらガイド５３Ｍｕ１，５３Ｍｕ２及び５３Ｍｄ１，５３Ｍｄ２に、リールスタンド４５Ｍのレール体５１Ｍｕ，５１Ｍｄがガイドされるようにしてリールスタンド４５Ｍが枠体４９の内側に立設状態で保持され、同様にリールスタンド４５Ｒが枠体４９の内側に立設状態で保持されている。こうして、各４５Ｌ，４５Ｍ，４５Ｒが枠体４９により連結される。
【００３３】
更に、枠体４９の左右壁面の外側下端部には前後方向のレール５５Ｌ，５５Ｒが固着され、筐体３の内部には、筐体３に対して枠体４９を前後方向に移動自在に取り付けるための取付手段としてのベース部材５７が固定され、このベース部材５７の左側内面の前後に鉛直面を回転面とする上下ローラ５９が一対ずつ取り付けられ、上下ローラ５９間にレール５５Ｌが上下から挟持されるように配設されて上下ローラ５９がレール５５Ｌの上下面を転動し、これと同様に、ベース部材５７の右側内面の前後に鉛直面を回転面とする上下ローラ６１が一対ずつ取り付けられ、上下ローラ６１間にレール５５Ｒが上下から挟持されるように配設されて上下ローラ６１がレール５５Ｒの上下面を転動する。
【００３４】
また、図２〜４に示すように、ベース部材５７の左側外面の前後に水平面を回転面とするローラ６３が取り付けられ、これら両ローラ６３がレール５５Ｌの左側面を転動し、ベース部材５７の右側外面の前後に水平面を回転面とするローラ６５が取り付けられ、これら両ローラ６５がレール５５Ｒの右側面を転動し、このようにして枠体４９がベース部材５７に対して前後方向に移動自在に取り付けられ、各リール４７Ｌ，４７Ｍ，４７Ｒがユニットとして枠体４９ごと一体的に前後方向に移動可能にリール窓１１の裏面側に配設される。
【００３５】
ところで、各リール４７Ｌ，４７Ｍ，４７Ｒそれぞれの内側前寄りの位置には、各リール４７Ｌ，４７Ｍ，４７Ｒそれぞれを内側から照明するバックライト（図示せず）が配設され、このバックライトにより、リール窓１１に覗く各リール４７Ｌ，４７Ｍ，４７Ｒの図柄のうち、少なくとも３個分の図柄が背後から明瞭に照明されるようになっている。
【００３６】
また、ベース部材５７の底面上のほぼ中央後部にはモータ６７が取り付けられ、このモータ６７の前方に伸びる回転軸には雄ねじ６９が装着され、枠体４９の底壁下面のほぼ中央部に固定されたガイド体７１に形成された雌ねじ７３に雄ねじ６９が螺合しており、モータ６７の回転に伴う雄ねじ６９の回転によりベース部材５７に対してガイド体７１及び枠体４９が一体となって前後方向に移動する。ここで、モータ６７、雄ねじ６９、ガイド体７１及び雌ねじ７３により、枠体４９を筐体３に対して前後方向に移動させるユニット移動手段が構成されている。
【００３７】
このとき、ベース部材５７のモータ６７の前方にフォトインタラプタから成るユニット移動量検出センサ７５が装着され、ガイド体７１の下面に固着された遮蔽板７７がセンサ７５の発光器、受光器間に介在されるようにセンサ７５が配設され、枠体４９の前、後方向それぞれへの最大移動位置に対応して遮蔽板７７に前、後透孔が透設され、これら前、後透孔を透過する発光器からの光が受光器により検出されることにより、枠体４９が予め定められた前、後方向それぞれへの最大移動位置に移動したことが検知されるようになっている。
【００３８】
また、図２〜４に示すように、枠体４９の底壁下面の各リール４７Ｌ，４７Ｍ，４７Ｒの後方位置には、モータ７９Ｌ，７９Ｍ，７９Ｒがそれぞれ取り付けられ、これら各モータ７９Ｌ，７９Ｍ，７９Ｒの回転軸にはウォームギヤ８１Ｌ，８１Ｍ，８１Ｒがそれぞれ取り付けられている。
【００３９】
そして、これらウォームギヤ８１Ｌ，８１Ｍ，８１Ｒの後方には、枠体４９の天壁及び底壁間に跨る軸体８３Ｌ，８３Ｍ，８３Ｒが回転自在に取り付けられ、これら軸体８３Ｌ，８３Ｍ，８３Ｒの下端が枠体４９の底壁の下方に導出され、この導出された軸体８３Ｌ，８３Ｍ，８３Ｒの下端にそれぞれ装着された歯車８５Ｌ，８５Ｍ，８５Ｒが各ウォームギヤ８１Ｌ，８１Ｍ，８１Ｒにそれぞれ噛合し、各モータ７９Ｌ，７９Ｍ，７９Ｒの回転が、各ウォームギヤ８１Ｌ，８１Ｍ，８１Ｒ及び各歯車８５Ｌ，８５Ｍ，８５Ｒをそれぞれ介して各軸体８３Ｌ，８３Ｍ，８３Ｒにそれぞれ伝達されるようになっている。
【００４０】
更に、各リールスタンド４５Ｌ，４５Ｍ，４５Ｒの上下のレール体５１Ｌｕ，５１Ｌｄの後端部右側面には、平歯車８７Ｌがそれぞれ形成され、これと同様に、リールスタンド４５Ｍ及び４５Ｒの上下のレール体５１Ｍｕ，５１Ｍｄ及び５１Ｒｕ，５１Ｒｄの後端部右側面にも、平歯車８７Ｍ，８７Ｒがそれぞれ形成されている。
【００４１】
そして、図２〜４に示すように、各軸体８３Ｌ，８３Ｍ，８３Ｒの上下端にそれぞれ歯車８９Ｌ，８９Ｍ，８９Ｒがそれぞれ固着され、上下の両歯車８９Ｌがリールスタンド４５Ｌの上下の平歯車８７Ｌにそれぞれ噛合し、同様に、上下の両歯車８９Ｍがリールスタンド４５Ｍの上下の平歯車８７Ｍにそれぞれ噛合すると共に、上下の歯車８９Ｒがリールスタンド４５Ｒの上下の平歯車８７Ｒにそれぞれ噛合し、こうして各リール４７Ｌ，４７Ｍ，４７Ｒを支持するリールスタンド４５Ｌ，４５Ｍ，４５Ｒが、枠体４９に対して前後方向に移動可能に支持されている。
【００４２】
ここで、各モータ７９Ｌ，７９Ｍ，７９Ｒ、各ウォームギヤ８１Ｌ，８１Ｍ，８１Ｒ、各軸体８３Ｌ，８３Ｍ，８３Ｒ、各歯車８５Ｌ，８５Ｍ，８５Ｒ、各平歯車８７Ｌ，８７Ｍ，８７Ｒ、並びに、各歯車８９Ｌ，８９Ｍ，８９Ｒにより、各リール４７Ｌ，４７Ｍ，４７Ｒそれぞれを枠体４９に対して個別に前後方向に移動させるリール移動手段が構成されている。
【００４３】
そして、枠体４９の移動用のモータ６７、及び、各リール４７Ｌ，４７Ｍ，４７Ｒの移動用のモータ７９Ｌ，７９Ｍ，７９Ｒは、上記したメインＣＰＵとの間で通信を行ってゲームの状況に応じた演出制御を司るサブＣＰＵ（図示せず）からの制御信号により駆動され、特に各モータ７９Ｌ，７９Ｍ，７９Ｒは個別に制御可能であり、枠体４９の移動用のモータ６７の制御による枠体４９全体、つまり各リール４７Ｌ，４７Ｍ，４７Ｒのユニットとしての一体的な移動や、各リール４７Ｌ，４７Ｍ，４７Ｒの移動用のモータ７９Ｌ，７９Ｍ，７９Ｒの個別制御による各リール４７Ｌ，４７Ｍ，４７Ｒの個別の移動によって、ゲームの状況に応じた多様な演出が実現される。尚、基本的には、各リール４７Ｌ，４７Ｍ，４７Ｒの回転停止後に各モータ６７，７９Ｌ，７９Ｍ，７９Ｒが駆動されて演出が実行される。
【００４４】
ところで、各リールスタンド４５Ｌ，４５Ｍ，４５Ｒの下側のレール体５１Ｌｄ，５１Ｍｄ，５１Ｒｄのほぼ中央左側には、フォトインタラプタから成るリール移動量検出センサ９１Ｌ，９１Ｍ，９１Ｒがそれぞれ配設され、このとき各レール体５１Ｌｄ，５１Ｍｄ，５１Ｒｄがセンサ９１Ｌ，９１Ｍ，９１Ｒの発光器、受光器間にそれぞれ介在されるようにセンサ９１Ｌ，９１Ｍ，９１Ｒが配設され、各リール４７Ｌ，４７Ｍ，４７Ｒの前、後方向それぞれへの最大移動位置に対応してレール体５１Ｌｄ，５１Ｍｄ，５１Ｒｄそれぞれに前、後透孔が透設され、センサ９１Ｌ，９１Ｍ，９１Ｒの発光器からの光が前、後透孔を透過して受光器により検出されることにより、各リール４７Ｌ，４７Ｍ，４７Ｒが予め定められた前、後方向それぞれへの最大移動位置に移動したことが検知されるようになっている。
【００４５】
また、図２〜４に示すように、上側のレール体５１Ｌｕ，５１Ｍｕ，５１Ｒｕの前端はそれぞれ上方にほぼ直角に屈曲され、下側のレール体５１Ｌｄ，５１Ｍｄ，５１Ｒｄの前端はそれぞれ下方にほぼ直角に屈曲されており、これら屈曲部分の後側にはほぼ円錐状の突起９３が一体形成されると共に、枠体４９の各突起９３に対応する箇所には、円錐状の突起９３が嵌挿する凹部９５が形成され、更に各リールスタンド４５Ｌ，４５Ｍ，４５Ｒの後側の上下端にも円錐状の突起９７が一体形成されると共に、枠体４９の各突起９７に対応する箇所にも、円錐状の突起９３が嵌挿する凹部９９が形成され、突起９３，９７の凹部９５，９９への嵌挿により、各リールスタンド４５Ｌ，４５Ｍ，４５Ｒの後方への過剰な移動が規制されている。
【００４６】
そして、例えばメインＣＰＵの制御により、ステッピングモータの駆動が停止されて各リール４７Ｌ，４７Ｍ，４７Ｒの回転が停止した後、そのときのゲームの状況に応じて、サブＣＰＵの制御信号によりモータ６７或いはモータ７９Ｌ，７９Ｍ，７９Ｒが制御され、例えばリーチ目であることを報知するための演出として、枠体４９全体が前後方向に移動されたり、或いは、各リール４７Ｌ，４７Ｍ，４７Ｒが個別に前後方向に移動されたり、枠体４９全体が前後方向に移動されつつ、各リール４７Ｌ，４７Ｍ，４７Ｒが個別に前後方向に移動される。
【００４７】
従って、上記した実施形態によれば、枠体４９全体が筐体３に対して前後方向に移動され、各リール４７Ｌ，４７Ｍ，４７Ｒが筐体３に対して個別に前後方向に移動されるため、簡単な構成により多様なゲームの演出表現を実現することができる。
【００４８】
なお、本発明は上記した実施形態に限定されるものではなく、その趣旨を逸脱しない限りにおいて上述したもの以外に種々の変更を行うことが可能である。
【００４９】
例えば、上記した実施形態では、枠体４９全体を前後方向に移動させる機能と、各リール４７Ｌ，４７Ｍ，４７Ｒつまり各リールスタンド４５Ｌ，４５Ｍ，４５Ｒを個別に前後方向に移動させる機能の両方を備えている場合ついて説明したが、枠体４９全体を前後方向に移動させる機能、或いは、各リール４７Ｌ，４７Ｍ，４７Ｒを個別に前後方向に移動させる機能のいずれか一方のみを備える構成であってもよいのは勿論である。
【００５０】
更に、上記した実施形態では、モータ６７により枠体４９全体の前後方向への移動を実現し、各モータ７９Ｌ，７９Ｍ，７９Ｒにより各リール４７Ｌ，４７Ｍ，４７Ｒの個別の前後方向への移動を実現するようにしているが、各モータ７９Ｌ，７９Ｍ，７９Ｒを同期的に駆動制御することにより、各リール４７Ｌ，４７Ｍ，４７Ｒをユニットとして一体的に前後方向に移動させるようにしてもよいのは言うまでもない。この場合、モータ６７を省略できることから部品点数を減らして構成の簡素化及びコストの低減、スペースの削減を図ることができるという利点がある。
【００５１】
また、上記した実施形態では、枠体４９全体、各リール４７Ｌ，４７Ｍ，４７Ｒを筐体３に対して前後方向に移動させるように構成した例について説明したが、前後方向のみならず、筐体３に対して左右方向及び上下方向に、予め定められた移動範囲内で移動させるようにしても構わない。
【００５２】
このとき、枠体４９全体、各リール４７Ｌ，４７Ｍ，４７Ｒの前後、左右、上下へ移動させる場合に、移動方向をどのように組み合わせてもよい。具体的には、枠体４９全体を前後方向に移動させ、各リール４７Ｌ，４７Ｍ，４７Ｒを個別に左右方向に移動させるように制御してもよく、左リール４７Ｌは前後方向に、中リール４７Ｍは左右方向に，右リール４７Ｒは上下方向にそれぞれ移動させるように制御してもよい。
【００５３】
【発明の効果】
以上のように、請求項１に記載の発明によれば、リール移動手段により、各リールが筐体に対して少なくとも前後方向に移動されるため、簡単な構成により多様なゲームの演出表現を実現することが可能になる。
【００５４】
また、請求項２に記載の発明によれば、ユニット移動手段により、ユニット保持手段が筐体に対して少なくとも前後方向に移動され、各リール支持手段がユニットとして前後方向に移動されるため、各リールを一体的に前後方向に移動させることが可能になる。
【００５５】
また、請求項３に記載の発明によれば、リール移動手段により、各リール支持手段が個別に移動されるため、各リールの個別移動により多様なゲームの演出表現を実現することが可能になる。
【００５６】
また、請求項４に記載の発明によれば、リール移動手段により、各リール支持手段が個別或いは一体的に移動されるため、各リールの個別或いは一体的な移動により、いっそう多様なゲームの演出表現を実現することが可能になる。
【００５７】
また、請求項５に記載の発明によれば、リール移動手段により、各リールが前後方向のみならず、左右方向及び上下方向にも移動されるため、各リールの前後、左右、上下への移動によって、よりいっそう多様なゲームの演出表現を実現することが可能になる。
【００５８】
また、請求項６に記載の発明によれば、制御信号により駆動されるモータによって、例えばラック，ピニオンの組み合わせを介して各リールを移動させることができるため、リール移動手段を簡単に構成することが可能になる。
【００５９】
また、請求項７に記載の発明によれば、各リールがユニット移動手段により、所定のユニット移動範囲内で前後方向、左右方向、上下方向のうちいずれかに択一的にユニットとして一体的に移動されるため、よりいっそう多様なゲームの演出表現を実現することが可能になる。
【００６０】
また、請求項８に記載の発明によれば、制御信号により駆動されるモータによって、例えばラック，ピニオンの組み合わせを介して各リールをユニットとして移動させることができるため、ユニット移動手段を簡単に構成することが可能になる。
【図面の簡単な説明】
【図１】この発明の一実施形態におけるスロットマシン全体の正面図である。
【図２】この発明の一実施形態におけるリール支持装置の正面図である。
【図３】この発明の一実施形態におけるリール支持装置の平面図である。
【図４】この発明の一実施形態におけるリール支持装置の右側面図である。
【符号の説明】
１    スロットマシン
３    筐体
５    前面パネル
４３  リール支持装置
４５Ｌ，４５Ｍ，４５Ｒ  リールスタンド（リール支持手段）
４７Ｌ，４７Ｍ，４７Ｒ  リール
４９  枠体（ユニット保持手段）
５７  ベース部材（取付手段）
６７  モータ（ユニット移動手段）
６９  雄ねじ（ユニット移動手段）
７１  ガイド体（ユニット移動手段）
７３  雌ねじ（ユニット移動手段）
７９Ｌ，７９Ｍ，７９Ｒ  モータ（リール移動手段）
８１Ｌ，８１Ｍ，８１Ｒ  ウォームギヤ（リール移動手段）
８３Ｌ，８３Ｍ，８３Ｒ  軸体（リール移動手段）
８５Ｌ，８５Ｍ，８５Ｒ  歯車（リール移動手段）
８７Ｌ，８７Ｍ，８７Ｒ  平歯車（リール移動手段）
８９Ｌ，８９Ｍ，８９Ｒ  歯車（リール移動手段）
【図１】
2004215843.tif 000003
【図２】
2004215843.tif 000004
【図３】
2004215843.tif 000005
【図４】
2004215843.tif 000006